(57)【要約】【課題】電源効率を高めることができる電源装置を得る。【解決手段】本発明の電源装置は、第１の巻線と、第２の巻線と、第１の接続点、第２の接続点、および基準電圧となる第３の接続点とを有する第３の巻線とを含むトランスと、第１の巻線に流れる電流をオンオフするスイッチングトランジスタと、第２の巻線から出力された信号を整流することにより出力電圧を生成する出力整流部と、出力電圧に基づいて、出力電圧に応じた電圧制御信号を生成する電圧制御部と、電源端子を有し、電圧制御信号に基づいてスイッチングトランジスタの動作を制御するスイッチング制御部と、第３の巻線の第１の接続点の電圧に基づく第１の電圧に応じて、第１の電圧および第３の巻線の第２の接続点の電圧に基づく第２の電圧のうちの一方を選択し、選択された電圧に応じた電圧を電源電圧としてスイッチング制御部の電源端子に供給する選択部とを備える。【選択図】図４
2019009882.tif 000002
【特許請求の範囲】
【請求項１】
第１の巻線と、第２の巻線と、第１の接続点、第２の接続点、および基準電圧となる第３の接続点とを有する第３の巻線とを含むトランスと、
前記第１の巻線に流れる電流をオンオフするスイッチングトランジスタと、
前記第２の巻線から出力された信号を整流することにより出力電圧を生成する出力整流部と、
前記出力電圧に基づいて、前記出力電圧に応じた電圧制御信号を生成する電圧制御部と、
電源端子を有し、前記電圧制御信号に基づいて前記スイッチングトランジスタの動作を制御するスイッチング制御部と、
前記第３の巻線の前記第１の接続点の電圧に基づく第１の電圧に応じて、前記第１の電圧および前記第３の巻線の前記第２の接続点の電圧に基づく第２の電圧のうちの一方を選択し、選択された電圧に応じた電圧を電源電圧として前記スイッチング制御部の前記電源端子に供給する選択部と
を備えた電源装置。
【請求項２】
前記第３の巻線の前記第１の接続点から前記電源端子への経路上に設けられ、信号を整流することにより前記第１の電圧を生成する第１の整流部と、
前記第３の巻線の前記第２の接続点から前記電源端子への経路上に設けられ、信号を整流することにより前記第２の電圧を生成する第２の整流部と
を備えた
請求項１に記載の電源装置。
【請求項３】
前記第３の巻線における前記第１の接続点と前記第３の接続点との間の第１の巻数は、前記第３の巻線における前記第２の接続点と前記第３の接続点との間の第２の巻数よりも多く、
前記選択部は、前記第１の電圧がしきい値電圧よりも高い場合には、前記第２の電圧を選択し、前記第１の電圧が前記しきい値電圧よりも低い場合には、前記第１の電圧を選択する
請求項１または請求項２に記載の電源装置。
【請求項４】
前記第３の巻線における前記第１の接続点と前記第３の接続点との間の第１の巻数は、前記第３の巻線における前記第２の接続点と前記第３の接続点との間の第２の巻数よりも少なく、
前記選択部は、前記第１の電圧がしきい値電圧よりも高い場合には、前記第１の電圧を選択し、前記第１の電圧が前記しきい値電圧よりも低い場合には、前記第２の電圧を選択する
請求項１または請求項２に記載の電源装置。
【請求項５】
前記電圧制御部は、前記出力電圧に加え、前記出力電圧の切り替えを指示する電圧切替信号にも基づいて、前記電圧制御信号を生成する
請求項１から請求項４のいずれか一項に記載の電源装置。
【請求項６】
フォトカプラをさらに備え、
前記電圧制御部は、前記フォトカプラを介して、前記電圧制御信号を前記スイッチング制御部に供給する
請求項１から請求項５のいずれか一項に記載の電源装置。
【請求項７】
交流電源信号に基づいて直流信号を生成する入力整流部をさらに備え、
前記第１の巻線の一端には前記直流信号が供給され、他端は前記スイッチングトランジスタに接続されている
請求項１から請求項６のいずれか一項に記載の電源装置。
【請求項８】
電源部と、
ヒータを有する画像形成部と
を備え、
前記電源部は、
第１の巻線と、第２の巻線と、第１の接続点、第２の接続点、および基準電圧となる第３の接続点とを有する第３の巻線とを含むトランスと、
前記第１の巻線に流れる電流をオンオフするスイッチングトランジスタと、
前記第２の巻線から出力された信号を整流することにより出力電圧を生成する出力整流部と、
前記出力電圧に基づいて、前記出力電圧に応じた電圧制御信号を生成する電圧制御部と、
電源端子を有し、前記電圧制御信号に基づいて前記スイッチングトランジスタの動作を制御するスイッチング制御部と、
前記第３の巻線の前記第１の接続点の電圧に基づく第１の電圧に応じて、前記第１の電圧および前記第３の巻線の前記第２の接続点の電圧に基づく第２の電圧のうちの一方を選択し、選択された電圧に応じた電圧を電源電圧として前記スイッチング制御部の前記電源端子に供給する選択部と
を有する
画像形成装置。
【請求項９】
動作モードを設定する画像形成制御部をさらに備え、
前記電圧制御部は、前記出力電圧に加え、前記動作モードにも基づいて、前記電圧制御信号を生成する
請求項８に記載の画像形成装置。
【請求項１０】
スイッチと、
ヒータ制御信号に基づいて前記ヒータの動作を制御するヒータ制御部と
をさらに備え、
前記画像形成制御部は、さらに前記ヒータ制御信号を生成し、
前記スイッチは、前記第１の電圧に応じて、前記ヒータ制御信号の前記ヒータ制御部への供給をオンオフする
請求項９に記載の画像形成装置。
【請求項１１】
前記第３の巻線における前記第１の接続点と前記第３の接続点との間の第１の巻数は、前記第３の巻線における前記第２の接続点と前記第３の接続点との間の第２の巻数よりも多く、
前記選択部は、前記第１の電圧がしきい値電圧よりも高い場合には、前記第２の電圧を選択し、前記第１の電圧が前記しきい値電圧よりも低い場合には、前記第１の電圧を選択し、
前記スイッチは、前記第１の電圧が前記しきい値電圧よりも高い場合にはオン状態になり、前記第１の電圧が前記しきい値電圧よりも低い場合にはオフ状態になる
請求項１０に記載の画像形成装置。
【請求項１２】
前記第３の巻線における前記第１の接続点と前記第３の接続点との間の第１の巻数は、前記第３の巻線における前記第２の接続点と前記第３の接続点との間の第２の巻数よりも少なく、
前記選択部は、前記第１の電圧がしきい値電圧よりも高い場合には、前記第１の電圧を選択し、前記第１の電圧が前記しきい値電圧よりも低い場合には、前記第２の電圧を選択し、
前記スイッチは、前記第１の電圧が前記しきい値電圧よりも高い場合にはオン状態になり、前記第１の電圧が前記しきい値電圧よりも低い場合にはオフ状態になる
請求項１０に記載の画像形成装置。
【発明の詳細な説明】
【技術分野】
【０００１】
本発明は、電源装置、および電源装置を備えた画像形成装置に関する。
【背景技術】
【０００２】
電源装置では、電源効率が高いことが望まれている。例えば、特許文献１には、トランスの一次側に接続されたスイッチング素子の導通損失の低減を図るスイッチング電源が開示されている。
【先行技術文献】
【特許文献】
【０００３】
【特許文献１】特開２０１０−１３０７０８号公報
【発明の概要】
【発明が解決しようとする課題】
【０００４】
このように、電源装置では、電源効率が高いことが望まれており、さらなる電源効率の向上が期待されている。
【０００５】
電源効率を高めることができる電源装置および画像形成装置を提供することが望ましい。
【課題を解決するための手段】
【０００６】
本発明の一実施の形態における電源装置は、トランスと、スイッチングトランジスタと、出力整流部と、電圧制御部と、スイッチング制御部と、選択部とを備えている。トランスは、第１の巻線と、第２の巻線と、第３の巻線とを含んでいる。この第３の巻線は、第１の接続点、第２の接続点、および基準電圧となる第３の接続点とを有している。スイッチングトランジスタは、第１の巻線に流れる電流をオンオフするものである。出力整流部は、第２の巻線から出力された信号を整流することにより出力電圧を生成するものである。電圧制御部は、出力電圧に基づいて、出力電圧に応じた電圧制御信号を生成するものである。スイッチング制御部は、電源端子を有し、電圧制御信号に基づいてスイッチングトランジスタの動作を制御するものである。選択部は、第３の巻線の第１の接続点の電圧に基づく第１の電圧に応じて、第１の電圧および第３の巻線の第２の接続点の電圧に基づく第２の電圧のうちの一方を選択し、選択された電圧に応じた電圧を電源電圧としてスイッチング制御部の電源端子に供給するものである。
【０００７】
本発明の一実施の形態における画像形成装置は、電源部と、ヒータを有する画像形成部とを備えている。電源部は、トランスと、スイッチングトランジスタと、出力整流部と、電圧制御部と、スイッチング制御部と、第１の整流部と、第２の整流部と、選択部とを有している。トランスは、第１の巻線と、第２の巻線と、第３の巻線とを含んでいる。この第３の巻線は、第１の接続点、第２の接続点、および基準電圧となる第３の接続点とを有している。スイッチングトランジスタは、第１の巻線に流れる電流をオンオフするものである。出力整流部は、第２の巻線から出力された信号を整流することにより出力電圧を生成するものである。電圧制御部は、出力電圧に基づいて、出力電圧に応じた電圧制御信号を生成するものである。スイッチング制御部は、電源端子を有し、電圧制御信号に基づいてスイッチングトランジスタの動作を制御するものである。選択部は、第３の巻線の第１の接続点の電圧に基づく第１の電圧に応じて、第１の電圧および第３の巻線の第２の接続点の電圧に基づく第２の電圧のうちの一方を選択し、選択された電圧に応じた電圧を電源電圧としてスイッチング制御部の電源端子に供給するものである。
【発明の効果】
【０００８】
本発明の一実施の形態における電源装置および画像形成装置によれば、第３の巻線を有するトランスと、選択部とを設け、選択部が、第１の電圧に応じて、第１の電圧および第２の電圧のうちの一方を選択し、選択された電圧に応じた電圧を電源電圧としてスイッチング制御部の電源端子に供給するようにしたので、電源効率を高めることができる。
【図面の簡単な説明】
【０００９】
【図１】一実施の形態に係る電源装置が適用された画像形成装置の一構成例を表す説明図である。
【図２】図１に示したＩＤユニット一構成例を表す説明図である。
【図３】図１に示した画像形成装置の一構成例を表すブロック図である。
【図４】図３に示した電源部の一構成例を表す回路図である。
【図５】図４に示した選択部の一構成例を表す回路図である。
【図６】図１に示した画像形成装置における画像形成動作の一例を表す説明図である。
【図７Ａ】図５に示した選択部の一動作例を表す説明図である。
【図７Ｂ】図５に示した選択部の他の動作例を表す説明図である。
【図８】図４に示した電源部の一動作例を表す表である。
【図９】図４に示した電源部の一動作例を表す他の表である。
【発明を実施するための形態】
【００１０】
以下、本発明の実施の形態について、図面を参照して詳細に説明する。
【００１１】
＜実施の形態＞
［構成例］
図１は、本発明の一実施の形態に係る電源装置が適用された画像形成装置１の一構成例を表すものである。画像形成装置１は、例えば普通用紙等からなる記録媒体に対して、電子写真方式を用いて画像を形成するプリンタとして機能するものである。画像形成装置１は、媒体供給ローラ１１と、媒体センサ１２と、レジストローラ１３と、媒体センサ１４と、レジストローラ１５と、媒体センサ１６と、４つのＩＤ（Image Drum）ユニット２０（ＩＤユニット２０Ｋ，２０Ｙ，２０Ｍ，２０Ｃ）と、４つのトナー収容部２８（トナー収容部２８Ｋ，２８Ｙ，２８Ｍ，２８Ｃ）と、４つのＬＥＤ（Light Emitting Diode）ヘッド２９（ＬＥＤヘッド２９Ｋ，２９Ｙ，２９Ｍ，２９Ｃ）と、転写部３０と、定着部４０と、媒体センサ１７とを備えている。これらの部材は、記録媒体９を搬送する搬送路１０に沿って配置されている。
【００１２】
媒体供給ローラ１１は、媒体収納部８に収納されている記録媒体９をその最上部から１枚ずつ取り出し、取り出した記録媒体９を搬送路１０に送り出す部材である。
【００１３】
媒体センサ１２は、記録媒体９の通過を検出する部材である。媒体センサ１２は、搬送路１０において、媒体供給ローラ１１とレジストローラ１３との間に配置されている。
【００１４】
レジストローラ１３は、搬送路１０を挟む１対のローラにより構成される部材であり、媒体供給ローラ１１から供給された記録媒体９の斜行を矯正するとともに、搬送路１０に沿って記録媒体９を搬送するものである。
【００１５】
媒体センサ１４は、記録媒体９の通過を検出する部材である。媒体センサ１４は、搬送路１０において、レジストローラ１３とレジストローラ１５との間に配置されている。
【００１６】
レジストローラ１５は、搬送路１０を挟む１対のローラにより構成される部材であり、媒体供給ローラ１１から供給された記録媒体９の斜行を矯正するとともに、搬送路１０に沿って記録媒体９をＩＤユニット２０に導くものである。
【００１７】
媒体センサ１６は、記録媒体９の通過を検出する部材である。媒体センサ１６は、搬送路１０において、レジストローラ１５の下流に配置されている。媒体センサ１６は、記録媒体９が４つのＩＤユニット２０に到達するタイミングを検出するために用いられる。
【００１８】
４つのＩＤユニット２０は、トナー像を形成するものである。具体的には、ＩＤユニット２０Ｋは、黒色（Ｋ）のトナー像を形成するものであり、ＩＤユニット２０Ｙは、黄色（Ｙ）のトナー像を形成するものであり、ＩＤユニット２０Ｍは、マゼンタ色（Ｍ）のトナー像を形成するものであり、ＩＤユニット２０Ｃは、シアン色（Ｃ）のトナー像を形成するものである。この例では、４つのＩＤユニット２０は、記録媒体９の搬送方向Ｆにおいて、ＩＤユニット２０Ｋ，２０Ｙ，２０Ｍ，２０Ｃの順に配置されている。各ＩＤユニット２０は、着脱可能に構成されている。
【００１９】
４つのトナー収容部２８は、トナーを貯蔵するものである。具体的には、トナー収容部２８Ｋは黒色のトナーを貯蔵し、トナー収容部２８Ｙは黄色のトナーを貯蔵し、トナー収容部２８Ｍはマゼンタ色のトナーを貯蔵し、トナー収容部２８Ｃはシアン色のトナーを貯蔵するようになっている。４つのトナー収容部２８は、対応する４つのＩＤユニット２０に対してそれぞれ着脱可能に構成されている。
【００２０】
図２は、ＩＤユニット２０およびトナー収容部２８の一構成例を表すものである。ＩＤユニット２０は、感光体２１と、クリーニングブレード２２と、帯電ローラ２４と、現像ローラ２５と、現像ブレード２６と、供給ローラ２７と、メモリタグＭＴ１とを有している。トナー収容部２８は、メモリタグＭＴ２を有している。
【００２１】
感光体２１は、表面（表層部分）に静電潜像を担持する部材である。感光体２１は、図示しない感光体モータから伝達された動力により、この例では時計回りで回転する。感光体２１は、帯電ローラ２４により帯電し、ＬＥＤヘッド２９により露光される。具体的には、ＩＤユニット２０Ｋの感光体２１はＬＥＤヘッド２９Ｋにより露光され、ＩＤユニット２０Ｙの感光体２１はＬＥＤヘッド２９Ｙにより露光され、ＩＤユニット２０Ｍの感光体２１はＬＥＤヘッド２９Ｍにより露光され、ＩＤユニット２０Ｃの感光体２１はＬＥＤヘッド２９Ｃにより露光される。これにより、各感光体２１の表面には、静電潜像が形成される。そして、感光体２１に、現像ローラ２５によりトナーが供給されることにより、感光体２１には、静電潜像に応じたトナー像が形成されるようになっている。
【００２２】
クリーニングブレード２２は、感光体２１の表面（表層部分）に残留するトナーを掻き取ってクリーニングする部材である。そして、掻き取られたトナーは、排トナーボックス２３に収容されるようになっている
【００２３】
帯電ローラ２４は、感光体２１の表面（表層部分）を帯電させる部材である。帯電ローラ２４は、感光体２１の表面（周面）に接するように配置されており、所定の押し付け量で感光体２１に押し付けられるように配置されている。帯電ローラ２４は、感光体２１の回転に応じて、この例では反時計回りで回転する。帯電ローラ２４には、電圧制御部５５（後述）により帯電電圧が印加されるようになっている。
【００２４】
現像ローラ２５は、トナーを表面に担持する部材である。現像ローラ２５は、感光体２１の表面（周面）に接するように配置されており、所定の押し付け量で感光体２１に押し付けられるように配置されている。現像ローラ２５は、図示しない感光体モータから伝達された動力により、この例では反時計回りで回転する。現像ローラ２５には、電圧制御部５５（後述）により現像電圧が印加されるようになっている。
【００２５】
現像ブレード２６は、現像ローラ２５の表面に当接することにより、この現像ローラ２５の表面にトナーからなる層（トナー層）を形成させるとともに、そのトナー層の厚さを規制（制御，調整）する部材である。現像ブレード２６は、例えば、ステンレス等からなる板状弾性部材をＬ字形状に折り曲げたものである。現像ブレード２６は、その折れ曲がった部分が現像ローラ２５の表面に当接するように配置されるとともに、所定の押し付け量で現像ローラ２５に押し付けられるように配置されている。
【００２６】
供給ローラ２７は、トナー収容部２８内に貯蔵されたトナーを、現像ローラ２５に対して供給する部材である。供給ローラ２７は、現像ローラ２５の表面（周面）に接するように配置されており、所定の押し付け量で現像ローラ２５に押し付けられるように配置されている。供給ローラ２７は、図示しない感光体モータから伝達された動力により、この例では反時計回りで回転する。これにより、各ＩＤユニット２０では、供給ローラ２７の表面と現像ローラ２５の表面との間には摩擦が生じる。その結果、各ＩＤユニット２０では、トナーが、いわゆる摩擦帯電により帯電するようになっている。供給ローラ２７には、電圧制御部５５（後述）により供給電圧が印加されるようになっている。
【００２７】
メモリタグＭＴ１は、例えば無線タグを用いて構成されるものである。メモリタグＭＴ１は、例えばＩＤユニット２０のシリアルナンバーなどの情報が記憶されている。
【００２８】
メモリタグＭＴ２は、例えば無線タグを用いて構成されるものである。メモリタグＭＴ２は、例えばトナー収容部２８のシリアルナンバーなどの情報が記憶されている。
【００２９】
４つのＬＥＤヘッド２９（図１）は、対応するＩＤユニット２０の感光体２１に対して光を照射する部材である。具体的には、ＬＥＤヘッド２９Ｋは、ＩＤユニット２０Ｋの感光体２１に対して光を照射し、ＬＥＤヘッド２９Ｙは、ＩＤユニット２０Ｙの感光体２１に対して光を照射し、ＬＥＤヘッド２９Ｍは、ＩＤユニット２０Ｍの感光体２１に対して光を照射し、ＬＥＤヘッド２９Ｃは、ＩＤユニット２０Ｃの感光体２１に対して光を照射する。これにより、これらの感光体２１は、対応するＬＥＤヘッド２９により露光され、感光体２１の表面に、静電潜像が形成されるようになっている。
【００３０】
この４つのＬＥＤヘッド２９は、この例では、画像形成装置１のトップカバーに固定されている。これにより、４つのＬＥＤヘッド２９は、このトップカバーを開くことにより、対応するＩＤユニット２０から離れ、一方、トップカバーを閉じることにより、対応するＩＤユニット２０の感光体２１を露光可能な位置に配置されるようになっている。
【００３１】
転写部３０は、４つのＩＤユニット２０により形成されたトナー像を、記録媒体９の被転写面上に転写するものである。転写部３０は、転写ベルト３１と、４つの転写ローラ３２（３２Ｋ，３２Ｙ，３２Ｍ，３２Ｃ）と、駆動ローラ３３と、従動ローラ３４とを有している。
【００３２】
転写ベルト３１は、搬送路１０に沿って記録媒体９を搬送方向Ｆに向かって搬送するものである。転写ベルト３１は、駆動ローラ３３および従動ローラ３４によって張設（張架）されている。そして、転写ベルト３１は、駆動ローラ３３の回転に応じて、搬送方向Ｆの方向に循環搬送されるようになっている。
【００３３】
転写ローラ３２Ｋは、搬送路１０および転写ベルト３１を介してＩＤユニット２０Ｋの感光体２１に対向配置されており、転写ローラ３２Ｙは、搬送路１０および転写ベルト３１を介してＩＤユニット２０Ｙの感光体２１に対向配置されており、転写ローラ３２Ｍは、搬送路１０および転写ベルト３１を介してＩＤユニット２０Ｍの感光体２１に対向配置されており、転写ローラ３２Ｃは、搬送路１０および転写ベルト３１を介してＩＤユニット２０Ｃの感光体２１に対向配置されている。転写ローラ３２Ｋ，３２Ｙ，３２Ｍ，３２Ｃのそれぞれには、電圧制御部５５（後述）により転写電圧が印加される。これにより、画像形成装置１では、各ＩＤユニット２０により形成されたトナー像が、記録媒体９の被転写面上に転写されるようになっている。
【００３４】
駆動ローラ３３は、転写ベルト３１を循環搬送するものである。この例では、駆動ローラ３３は、搬送方向Ｆにおいて、４つのＩＤユニット２０の下流に配置されている。従動ローラ３４は、転写ベルト３１の循環搬送に応じて、従動回転するものである。この例では、従動ローラ３４は、搬送方向Ｆにおいて、４つのＩＤユニット２０の上流に配置されている。
【００３５】
定着部４０は、記録媒体９に対し熱および圧力を付与することにより、記録媒体９上に転写されたトナー像を記録媒体９に定着させる部材である。定着部４０は、ヒートローラ４１と、加圧ローラ４３とを有している。ヒートローラ４１は、記録媒体９上のトナーに対して熱を付与する部材である。ヒートローラ４１は、ヒータ４２を有している。ヒータ４２は、例えば、ハロゲンヒータやセラミックヒータ等を用いて構成される。加圧ローラ４３は、ヒートローラ４１との間に圧接部が形成されるように配置され、記録媒体９上のトナーに対して圧力を付与する部材である。これにより、定着部４０では、記録媒体９上のトナーが、加熱され、融解し、加圧される。その結果、トナー像が記録媒体９上に定着するようになっている。
【００３６】
媒体センサ１７は、記録媒体９の通過を検出する部材である。媒体センサ１７は、搬送路１０において、定着部４０の下流に配置されている。媒体センサ１７は、記録媒体９が排出されたことを検出するようになっている。
【００３７】
この構成により、画像形成装置１は、記録媒体９に対して画像を形成する。そして、画像が形成された記録媒体９は、スタッカ１８上に積載されるようになっている。
【００３８】
図３は、画像形成装置１における制御機構の一例を表すものである。画像形成装置１は、通信部５１と、操作パネル５２と、読み書き制御部５３と、露光制御部５４と、電圧制御部５５と、モータ制御部５６と、定着制御部５７と、電源部６０と、制御部５９とを備えている。
【００３９】
通信部５１は、例えばＵＳＢ（Universal Serial Bus）やＬＡＮ（Local Area Network）を用いて通信を行うものであり、例えば、ホストコンピュータ（図示せず）から送信された印刷データＤＰを受信するものである。
【００４０】
操作パネル５２は、ユーザの操作を受け付けるとともに、画像形成装置１の動作状態などを表示するものである。操作パネル５２は、例えば各種ボタン、液晶ディスプレイ、各種インジケータなどを用いて構成されるものである。
【００４１】
読み書き制御部５３は、図示しないアンテナを介して、４つのＩＤユニット２０のメモリタグＭＴ１、および４つのトナー収容部２８のメモリタグＭＴ２から情報を読み出し、あるいは、これらのメモリタグＭＴ１，ＭＴ２から情報を読み出すものである。
【００４２】
露光制御部５４は、４つのＬＥＤヘッド２９における露光動作を制御するものである。電圧制御部５５は、４つのＩＤユニット２０および転写部３０において用いられる、帯電電圧、現像電圧、供給電圧、転写電圧などの各種電圧を生成するものである。モータ制御部５６は、画像形成装置１における各種モータの動作を制御するものである。定着制御部５７は、定着部４０における定着動作を制御するものである。定着制御部５７は、ヒータ４２へ電力を供給するヒータ制御部４４を有している。
【００４３】
電源部６０は、商用電源９９から供給された交流の電源信号に基づいて、直流の電圧Ｖｏｕｔを生成するものである。この電圧Ｖｏｕｔは、例えば、画像形成装置１内の各種モータや、冷却ファンや、画像形成装置１内の様々な回路の電源電圧（５Ｖ以下）を生成する電圧生成回路などに供給されるようになっている。
【００４４】
電源部６０は、制御部５９から供給された制御信号ＳＬＥＥＰ−Ｎに基づいて、電圧Ｖｏｕｔを２４Ｖまたは１５Ｖに設定する。この制御信号ＳＬＥＥＰ−Ｎは、画像形成装置１の動作モードＭが、画像形成モードＭ１およびスリープモードＭ２のうちのどちらであるかを示すものである。画像形成モードＭ１は、画像形成装置１が画像形成動作を行う動作モードＭであり、スリープモードＭ２は、画像形成装置１が画像形成動作を停止し、消費電力の削減を図る動作モードＭである。
【００４５】
電源部６０は、制御信号ＳＬＥＥＰ−Ｎが示す動作モードＭが画像形成モードＭ１である場合には、電圧Ｖｏｕｔを２４Ｖに設定する。すなわち、画像形成モードＭ１では、画像形成装置１内の各種モータやファンを駆動するため、電源部６０は、電圧Ｖｏｕｔを２４Ｖに設定する。また、電源部６０は、制御信号ＳＬＥＥＰ−Ｎが示す動作モードＭがスリープモードＭ２である場合には、電圧Ｖｏｕｔを１５Ｖに設定する。すなわち、スリープモードＭ２では、画像形成装置１内の各種モータやファンを駆動しないが、画像形成装置１内の様々な回路の電源電圧（５Ｖ以下）を生成する電圧生成回路を動作させる。この場合には、損失を抑えるため、電圧Ｖｏｕｔは低い方が望ましい。よって、電源部６０は、スリープモードＭ２では、電圧Ｖｏｕｔを１５Ｖに設定する。
【００４６】
このように、画像形成装置１では、動作モードＭが画像形成モードＭ１およびスリープモードＭ２のうちのどちらであるかに基づいて電圧Ｖｏｕｔを設定するようにしたので、消費電力を効果的に低減することができるようになっている。
【００４７】
制御部５９は、画像形成装置１内の各ブロックの動作を制御することにより、画像形成装置１の全体動作を制御するものである。制御部５９は、例えば、ＣＰＵ（Central Processing Unit）や、一時記憶領域として機能するＲＡＭ（Random Access Memory）や、ＣＰＵにおいて実行されるプログラムを格納するＲＯＭ（Read Only Memory）などを用いて構成される。また、制御部５９は、制御信号ＳＬＥＥＰ−Ｎを生成する機能をも有している。
【００４８】
（電源部６０）
図４は、電源部６０の一構成例を表すものである。電源部６０は、電源フィルタ６１と、ダイオードブリッジ６２と、コンデンサ６３と、スイッチングトランジスタ６４と、トランス６５と、整流部６６と、選択部８０と、ツェナーダイオード６７Ａと、コンデンサ６７Ｂと、スイッチング制御部６８と、整流部６９と、フィードバック回路７１と、フォトカプラ７２とを有している。電源フィルタ６１、ダイオードブリッジ６２、コンデンサ６３、スイッチングトランジスタ６４、整流部６６、選択部８０、ツェナーダイオード６７Ａ、コンデンサ６７Ｂ、およびスイッチング制御部６８は、電源部６０の１次側に設けられ、整流部６９およびフィードバック回路７１は、電源部６０の２次側に設けられている。
【００４９】
電源フィルタ６１は、商用電源９９から供給された電源信号に対してフィルタリングを行うものである。電源信号は、例えば１００Ｖの交流信号であってもよいし、例えば２３０Ｖの交流信号であってもよい。ダイオードブリッジ６２およびコンデンサ６３は、電源フィルタ６１から供給された電源信号を整流して平滑化することにより、直流の電圧Ｖｄｃを生成するものである。
【００５０】
スイッチングトランジスタ６４は、制御信号Ｓ１に基づいてオンオフするＮ型のトランジスタである。スイッチングトランジスタ６４のゲートにはスイッチング制御部６８から制御信号Ｓ１が供給され、ドレインはトランス６５の巻線６５Ａ（後述）の他端に接続され、他端には基準電圧Ｖ０が供給されている。
【００５１】
トランス６５は、３つの巻線６５Ａ，６５Ｂ，６５Ｃを有している。巻線６５Ａの一端は、ダイオードブリッジ６２およびコンデンサ６３に接続され、他端はスイッチングトランジスタ６４のドレインに接続されている。巻線６５Ｂの一端は整流部６９に接続され、他端は接地されている。巻線６５Ｃは、３つの接続点Ｃ１〜Ｃ３を有している。接続点Ｃ１は、整流部６６のダイオード６６Ａ（後述）のアノードに接続され、接続点Ｃ２は、整流部６６のダイオード６６Ｃ（後述）のアノードに接続され、接続点Ｃ３には、基準電圧Ｖ０が供給されている。巻線６５Ａの巻数はＮｐであり、巻線６５Ｂの巻数はＮｓである。この例では、巻数Ｎｓは巻数Ｎｐよりも少ない巻数に設定されている。また、巻線６５Ｃの接続点Ｃ１，Ｃ３間の巻数はＮｂ１であり、巻線６５Ｃの接続点Ｃ２，Ｃ３間の巻数はＮｂ２である。巻数Ｎｂ１は、巻数Ｎｂ２よりも多い巻数に設定されている。
【００５２】
この構成により、トランス６５は、巻線６５Ａの両端間の電圧（交流電圧）を“Ｎｓ／Ｎｐ”倍に降圧し、降圧された交流電圧を巻線６５Ｂから出力する。また、トランス６５は、巻線６５Ｂの両端間の交流電圧の“Ｎｂ１／Ｎｓ”倍の交流電圧を、巻線６５Ｃの接続点Ｃ１，Ｃ３から出力するとともに、巻線６５Ｂの両端間の交流電圧の“Ｎｂ２／Ｎｓ”倍の交流電圧を、巻線６５Ｃの接続点Ｃ２，Ｃ３から出力するようになっている。この例では、“Ｎｂ１／Ｎｓ”は０．７に設定され、“Ｎｂ２／Ｎｓ”は０．５に設定されている。
【００５３】
整流部６６は、トランス６５の巻線６５Ｃの接続点Ｃ１における交流の電圧を整流して平滑化することにより電圧Ｖ１を生成するとともに、トランス６５の巻線６５Ｃの接続点Ｃ２における交流の電圧を整流して平滑化することにより電圧Ｖ２を生成するものである。整流部６６は、ダイオード６６Ａ，６６Ｃと、コンデンサ６６Ｂ，６６Ｄとを有している。ダイオード６６Ａのアノードは、トランス６５の巻線６５Ｃの接続点Ｃ１に接続され、カソードはコンデンサ６６Ｂの一端および選択部８０の入力端子Ｔ１に接続されている。コンデンサ６６Ｂは、いわゆる平滑コンデンサとして機能するものであり、コンデンサ６６Ｂの一端はダイオード６６Ａのカソードおよび選択部８０の入力端子Ｔ１に接続され、他端には基準電圧Ｖ０が供給されている。ダイオード６６Ｃのアノードは、トランス６５の巻線６５Ｃの接続点Ｃ２に接続され、カソードはコンデンサ６６Ｄの一端および選択部８０の入力端子Ｔ２に接続されている。コンデンサ６６Ｄは、いわゆる平滑コンデンサとして機能するものであり、コンデンサ６６Ｄの一端はダイオード６６Ｃのカソードおよび選択部８０の入力端子Ｔ１に接続され、他端には基準電圧Ｖ０が供給されている。
【００５４】
選択部８０は、入力端子Ｔ１における電圧（電圧Ｖ１）に基づいて、入力端子Ｔ１における電圧Ｖ１および入力端子Ｔ２における電圧（電圧Ｖ２）のうちの一方を選択し、選択された電圧に応じた電圧をスイッチング制御部６８に電源電圧ＶＣＣとして供給するものである。また、選択部８０は、入力端子Ｔ１における電圧Ｖ１に基づいて、制御信号Ｓ２を生成し、この制御信号Ｓ２を用いてスイッチ７９の動作を制御する機能をも有している。入力端子Ｔ１は、整流部６６のダイオード６６Ａのカソードおよびコンデンサ６６Ｂの一端に接続され、入力端子Ｔ２は、整流部６６のダイオード６６Ｃのカソードおよびコンデンサ６６Ｄの一端に接続される。出力端子Ｔ３は、スイッチング制御部６８の電源端子、ツェナーダイオード６７Ａのカソード、およびコンデンサ６７Ｂの一端に接続されている。
【００５５】
ツェナーダイオード６７Ａのカソードは選択部８０の出力端子Ｔ３、スイッチング制御部６８の電源端子、およびコンデンサ６７Ｂの一端に接続され、アノードには基準電圧Ｖ０が供給されている。このツェナーダイオード６７Ａは、スイッチング制御部６８を保護するために挿入されている。
【００５６】
コンデンサ６７Ｂの一端は選択部８０の出力端子Ｔ３、スイッチング制御部６８の電源端子、およびツェナーダイオード６７Ａのカソードに接続され、他端には基準電圧Ｖ０が供給されている。このコンデンサ６７Ｂは、いわゆるデカップリングコンデンサとして機能するものである。
【００５７】
スイッチング制御部６８は、制御信号Ｓｆｂに基づいて、制御信号Ｓ１を生成するものである。このスイッチング制御部６８には、選択部８０から電源電圧ＶＣＣが供給されるようになっている。スイッチング制御部６８は、この例では、電源電圧ＶＣＣが１０Ｖ以上の場合に動作するものである。
【００５８】
整流部６９は、トランス６５の巻線６５Ｂから出力された交流の電圧を整流して平滑化することにより、直流の電圧Ｖｏｕｔを生成するものである。整流部６９は、ダイオード６９Ａと、コンデンサ６９Ｂとを有している。ダイオード６９Ａのアノードはトランス６５の巻線６５Ｂの一端に接続され、カソードはコンデンサ６９Ｂの一端および電源部６０の出力端子Ｔｏｕｔに接続されている。このダイオード６９Ａは、いわゆる整流ダイオードとして機能するものである。コンデンサ６９Ｂの一端はダイオード６９Ａのカソードおよび電源部６０の出力端子Ｔｏｕｔに接続され、他端は接地されている。このコンデンサ６９Ｂは、いわゆる平滑コンデンサとして機能するものである。
【００５９】
フィードバック回路７１は、制御部５９から供給された制御信号ＳＬＥＥＰ−Ｎに基づいてフィードバック定数を設定し、電圧Ｖｏｕｔおよびそのフィードバック定数に基づいて制御信号Ｓｆｂ０を生成するものである。
【００６０】
フォトカプラ７２は、２次側の制御信号Ｓｆｂ０を、制御信号Ｓｆｂとして、１次側のスイッチング制御部６８に伝えるものである。フォトカプラ７２の発光ダイオードのアノードには制御信号Ｓｆｂ０が供給され、カソードは接地されている。フォトカプラ７２のフォトトランジスタのコレクタはスイッチング制御部６８に接続され、エミッタには基準電圧Ｖ０が供給されている。
【００６１】
この構成により、電源部６０は、制御信号ＳＬＥＥＰ−Ｎが示す動作モードＭが画像形成モードＭ１である場合には、フィードバック回路７１がフィードバック定数を画像形成モードＭ１に応じた値に設定することにより、電圧Ｖｏｕｔが２４Ｖになるように制御する。また、電源部６０は、制御信号ＳＬＥＥＰ−Ｎが示す動作モードＭがスリープモードＭ２である場合には、フィードバック回路７１がフィードバック定数をスリープモードＭ２に応じた値に設定することにより、電圧Ｖｏｕｔが１５Ｖになるように制御するようになっている。
【００６２】
図４に示したように、画像形成装置１は、さらに、フォトトライアックカプラ７８と、スイッチ７９とを備えている。また、制御部５９は、制御信号ＨＧ−Ｐ，ＡＣ−ＯＮ−Ｎを生成する機能をも有している。
【００６３】
フォトトライアックカプラ７８は、制御信号ＨＧ−Ｐおよび制御信号ＡＣ−ＯＮ−Ｎの電圧差が示す信号を１次側に伝えるものである。フォトトライアックカプラ７８の発光ダイオードのアノードには制御信号ＨＧ−Ｐが供給され、カソードには制御信号ＡＣ−ＯＮ−Ｎが供給されている。フォトカプラ７２のフォトトライアックの一端はスイッチ７９に接続され、他端はヒータ制御部４４に接続されている。
【００６４】
スイッチ７９は、選択部８０から供給された制御信号Ｓ２に基づいてオンオフするものである。スイッチ７９の一端はフォトトライアックカプラ７８のフォトトライアックの一端に接続され、他端はヒータ制御部４４に接続されている。
【００６５】
この構成により、画像形成装置１では、制御信号ＨＧ−Ｐが高レベルであり、制御信号ＡＣ−ＯＮ−Ｎが低レベルであり、かつスイッチ７９がオン状態である場合に、ヒータ制御部４４が、電源フィルタ６１から供給された電源信号をヒータ４２に供給するようになっている。
【００６６】
（選択部８０）
図５は、選択部８０の一構成例を表すものである。なお、この図５では、説明の便宜上、選択部８０に加えて、トランス６５の巻線６５Ｃ、および整流部６６をも描いている。選択部８０は、抵抗素子８１，８２と、トランジスタ８３と、抵抗素子８４と、トランジスタ８５，８６と、ダイオード８７と、トランジスタ８８と、ダイオード８９とを有している。
【００６７】
抵抗素子８１の一端は入力端子Ｔ１に接続され、他端は抵抗素子８２の一端およびトランジスタ８３のゲートに接続されている。抵抗素子８２の一端は抵抗素子８１の他端およびトランジスタ８３のゲートに接続され、他端には基準電圧Ｖ０が供給されている。抵抗素子８１，８２は、入力端子Ｔ１における電圧Ｖ１に係るしきい値電圧Ｖｔｈを調節するものである。トランジスタ８３はＮ型のトランジスタであり、ゲートは抵抗素子８１の他端および抵抗素子８２の一端に接続され、ドレインは抵抗素子８４の他端およびトランジスタ８５，８８のゲートに接続され、ソースには基準電圧Ｖ０が供給されている。抵抗素子８４の一端は入力端子Ｔ１に接続され、他端はトランジスタ８３のドレインおよびトランジスタ８５，８８のゲートに接続されている。トランジスタ８５はＮ型のトランジスタであり、ゲートは抵抗素子８４の他端、トランジスタ８３のドレイン、およびトランジスタ８８のゲートに接続され、ドレインはトランジスタ８６のゲートに接続され、ソースには基準電圧Ｖ０が供給されている。トランジスタ８６はＰ型のトランジスタであり、ゲートはトランジスタ８５のドレインに接続され、ソースは入力端子Ｔ１に接続され、ドレインはダイオード８７のアノードに接続されている。ダイオード８７のアノードはトランジスタ８６のドレインに接続され、カソードは出力端子Ｔ３に接続されている。トランジスタ８８はＰ型のトランジスタであり、ゲートは抵抗素子８４の他端、トランジスタ８３のドレイン、およびトランジスタ８５のゲートに接続され、ソースは入力端子Ｔ２に接続され、ドレインはダイオード８９のアノードに接続されている。ダイオード８９のアノードはトランジスタ８８のドレインに接続され、カソードは出力端子Ｔ３に接続されている。
【００６８】
この構成により、画像形成装置１では、後述するように、電源部６０が出力する電圧Ｖｏｕｔが２４Ｖである場合には、選択部８０の入力端子Ｔ１における電圧Ｖ１がしきい値電圧Ｖｔｈよりも高いため、トランジスタ８６がオフ状態になるとともにトランジスタ８８がオン状態になる。その結果、選択部８０では、入力端子Ｔ２における電圧Ｖ２が選択され、この電圧Ｖ２に応じた電圧が電源電圧ＶＣＣとしてスイッチング制御部６８に供給される。一方、電源部６０が出力する電圧Ｖｏｕｔが１５Ｖである場合には、選択部８０の入力端子Ｔ１における電圧Ｖ１がしきい値電圧Ｖｔｈよりも低いため、トランジスタ８６がオン状態になるとともにトランジスタ８８がオフ状態になる。その結果、選択部８０では、入力端子Ｔ１における電圧Ｖ１が選択され、この電圧Ｖ１に応じた電圧が電源電圧ＶＣＣとしてスイッチング制御部６８に供給されるようになっている。
【００６９】
ここで、巻線６５Ａは、本発明における「第１の巻線」の一具体例に対応する。巻線６５Ｂは、本発明における「第２の巻線」の一具体例に対応する。巻線６５Ｃは、本発明における「第３の巻線」の一具体例に対応する。接続点Ｃ１は、本発明における「第１の接続点」の一具体例に対応し、接続点Ｃ２は、本発明における「第２の接続点」の一具体例に対応し、接続点Ｃ３は、本発明における「第３の接続点」の一具体例に対応する。整流部６９は、本発明における「出力整流部」の一具体例に対応する。ダイオードブリッジ６２およびコンデンサ６３は、本発明における「入力整流部」の一具体例に対応する。フィードバック回路７１は、本発明における「電圧制御部」の一具体例に対応する。制御信号Ｓｆｂ，Ｓｆｂ０は、本発明における「電圧制御信号」の一具体例に対応する。制御信号ＳＬＥＥＰ−Ｎは、本発明における「電圧切替信号」の一具体例に対応する。ダイオード６６Ａおよびコンデンサ６６Ｂは、本発明における「第１の整流部」の一具体例に対応する。電圧Ｖ１は、本発明における「第１の電圧」の一具体例に対応する。ダイオード６６Ｃおよびコンデンサ６６Ｄは、本発明における「第２の整流部」の一具体例に対応する。電圧Ｖ２は、本発明における「第２の電圧」の一具体例に対応する。選択部８０は、本発明における「選択部」の一具体例に対応する。しきい値電圧Ｖｔｈは、本発明における「しきい値電圧」の一具体例に対応する。４つのＩＤユニット２０、４つのＬＥＤヘッド２９、転写部３０、および定着部４０は、本発明における「画像形成部」の一具体例に対応する。制御部５９は、本発明における「画像形成制御部」の一具体例に対応する。制御信号ＨＧ−Ｐ，ＡＣ−ＯＮ−Ｎは、本発明における「ヒータ制御信号」の一具体例に対応する。
【００７０】
［動作および作用］
続いて、本実施の形態の画像形成装置１の動作および作用について説明する。
【００７１】
（全体動作概要）
まず、図１，３を参照して、画像形成装置１の全体動作概要を説明する。通信部５１がホストコンピュータから印刷データＤＰを受け取ると、制御部５９は、画像形成装置１が画像形成動作を開始するように、画像形成装置１の各ブロックを制御する。モータ制御部５６は、画像形成装置１における各種モータの動作を制御する。電圧制御部５５は、４つのＩＤユニット２０および転写部３０において用いられる各種電圧を生成する。露光制御部５４は、印刷データＤＰに基づいて、４つのＬＥＤヘッド２９による露光動作を制御する。定着制御部５７は、定着部４０における定着動作を制御する。
【００７２】
４つのＩＤユニット２０のそれぞれでは、感光体２１の表面に静電潜像が形成され、その静電潜像に応じたトナー像が形成（現像）される。４つの転写ローラ３２は、対応する感光体２１に形成されたトナー像を、記録媒体９の被転写面上に転写する。定着部４０は、トナー像を記録媒体９上に定着させる。
【００７３】
（詳細動作）
図６は、画像形成装置１における画像形成動作の一例を表すものである。
【００７４】
ＩＤユニット２０では、まず、帯電ローラ２４が、感光体２１の表面を例えば約−６００Ｖに帯電させる。そして、ＬＥＤヘッド２９は、形成すべき画像に対応するパターンを有する光を感光体２１に照射する。感光体２１の表面のうち、光が照射された部分の電圧は、例えば約−５０Ｖになる。このようにして、感光体２１の表面に静電潜像が形成される。
【００７５】
現像ローラ２５は、例えば約−３００Ｖに帯電し、供給ローラ２７は、例えば約−４５０Ｖに帯電する。現像ローラ２５の表面と供給ローラ２７の表面との間には摩擦が生じ、これにより、トナーはマイナスに帯電する。マイナスに帯電したトナーは、現像ローラ２５および供給ローラ２７の物理的な搬送力、および現像ローラ２５の電圧と供給ローラ２７の電圧との電圧差により、現像ローラ２５に供給される。現像ブレード２６は、現像ローラ２５の表面にトナー層を形成させる。そして、このトナー層が感光体２１に接触する。感光体２１の表面のうち、光が照射された部分では、感光体２１と現像ローラ２５との電界に基づいて、トナーが現像ローラ２５から感光体２１の表面に移動する。そして、感光体２１の表面の静電潜像が、トナー像として現像される。
【００７６】
転写ローラ３２は、例えば約＋１５００Ｖに帯電する。これにより、感光体２１と転写ローラ３２との間に電界が生じ、この電界により、感光体２１の表面のトナーが記録媒体９に移動する。感光体２１の表面に残留したトナーは、クリーニングブレード２２により掻き取られ、排トナーボックス２３に収容される。
【００７７】
記録媒体９上のトナーは、定着部４０において、加熱され、融解し、加圧されることにより、記録媒体９に定着する。
【００７８】
（電源部６０の動作）
次に、電源部６０の動作について、詳細に説明する。
【００７９】
電源フィルタ６１は、商用電源９９から供給された電源信号に対してフィルタリングを行う。ダイオードブリッジ６２およびコンデンサ６３は、電源フィルタ６１から供給された電源信号を整流して平滑化することにより、直流の電圧Ｖｄｃを生成する。スイッチング制御部６８は、制御信号Ｓｆｂに基づいて、制御信号Ｓ１を生成する。スイッチングトランジスタ６４は、制御信号Ｓ１に基づいてオンオフする。
【００８０】
トランス６５は、巻線６５Ａの両端間の交流電圧を“Ｎｓ／Ｎｐ”倍に降圧し、降圧された交流電圧を巻線６５Ｂから出力する。また、トランス６５は、巻線６５Ｂの両端間の交流電圧の”Ｎｂ１／Ｎｓ”倍の交流電圧を、巻線６５Ｃの接続点Ｃ１，Ｃ３から出力するとともに、巻線６５Ｂの両端間の交流電圧の”Ｎｂ２／Ｎｓ”倍の交流電圧を、巻線６５Ｃの接続点Ｃ２，Ｃ３から出力する。
【００８１】
整流部６９は、トランス６５の巻線６５Ｂから出力された交流の電圧を整流して平滑化することにより、直流の電圧Ｖｏｕｔを生成する。フィードバック回路７１は、制御部５９から供給された制御信号ＳＬＥＥＰ−Ｎが示す動作モードＭに基づいてフィードバック定数を設定し、電圧Ｖｏｕｔおよびそのフィードバック定数に基づいて制御信号Ｓｆｂ０を生成する。フォトカプラ７２は、２次側の制御信号Ｓｆｂ０を、制御信号Ｓｆｂとして、１次側のスイッチング制御部６８に伝える。
【００８２】
整流部６６は、トランス６５の巻線６５Ｃの接続点Ｃ１における交流電圧を整流して平滑化することにより電圧Ｖ１を生成するとともに、トランス６５の巻線６５Ｃの接続点Ｃ２における交流電圧を整流して平滑化することにより電圧Ｖ２を生成する。選択部８０は、入力端子Ｔ１における電圧Ｖ１に基づいて、入力端子Ｔ１における電圧Ｖ１および入力端子Ｔ２における電圧Ｖ２のうちの一方を選択し、選択された電圧をスイッチング制御部６８に電源電圧ＶＣＣとして供給する。
【００８３】
これにより、電源部６０は、制御信号ＳＬＥＥＰ−Ｎが示す動作モードＭが画像形成モードＭ１である場合には、電圧Ｖｏｕｔを２４Ｖに設定し、制御信号ＳＬＥＥＰ−Ｎが示す動作モードＭがスリープモードＭ２である場合には、電圧Ｖｏｕｔを１５Ｖに設定する。
【００８４】
（選択部８０の動作）
選択部８０は、入力端子Ｔ１における電圧Ｖ１に基づいて、入力端子Ｔ１における電圧Ｖ１および入力端子Ｔ２における電圧Ｖ２のうちの一方を選択し、選択された電圧をスイッチング制御部６８に電源電圧ＶＣＣとして供給する。以下に、この動作について詳細に説明する。
【００８５】
図７Ａ，７Ｂは、選択部８０の一動作例を表すものであり、図７Ａは、電圧Ｖｏｕｔが２４Ｖである場合の動作を示し、図７Ｂは、電圧Ｖｏｕｔが１５Ｖである場合の動作を示す。図８は、トランジスタ８３，８５，８６，８８およびスイッチ７９の一動作例を表すものである。図７Ａ，７Ｂでは、トランジスタ８３，８５，８６，８８およびスイッチ７９を、オンオフ状態を示すスイッチとして描いている。
【００８６】
電圧Ｖｏｕｔが２４Ｖである場合には、入力端子Ｔ１における電圧Ｖ１がしきい値電圧Ｖｔｈよりも高い。すなわち、トランジスタ８３のゲートの電圧がトランジスタ８３のしきい値電圧よりも高い。これにより、図８に示したように、トランジスタ８３がオン状態になり、トランジスタ８５，８６はオフ状態になり、トランジスタ８８はオン状態になり、その結果、図７Ａに示したように、入力端子Ｔ２から出力端子Ｔ３への経路Ｐ２が選択される。これにより、入力端子Ｔ２における電圧Ｖ２が選択され、この電圧Ｖ２に応じた電圧が電源電圧ＶＣＣとしてスイッチング制御部６８に供給される。
【００８７】
この場合では、図７Ａ，８に示したように、スイッチ７９はオン状態になる。よって、画像形成装置１では、制御信号ＨＧ−Ｐ，ＡＣ−ＯＮ−Ｎに基づいて、ヒータ４２に電力が供給される。すなわち、電圧Ｖｏｕｔが２４Ｖである場合は、動作モードＭが画像形成モードＭ１であるので、画像形成装置１では、制御信号ＨＧ−Ｐ，ＡＣ−ＯＮ−Ｎに基づいて、ヒータ４２に電力が供給される。
【００８８】
電圧Ｖｏｕｔが１５Ｖである場合には、入力端子Ｔ１における電圧Ｖ１がしきい値電圧Ｖｔｈよりも低い。すなわち、トランジスタ８３のゲートの電圧がトランジスタ８３のしきい値電圧よりも低い。これにより、図８に示したように、トランジスタ８３がオフ状態になり、トランジスタ８５，８６はオン状態になり、トランジスタ８８はオフ状態になり、その結果、図７Ｂに示したように、入力端子Ｔ１から出力端子Ｔ３への経路Ｐ１が選択される。これにより、入力端子Ｔ１における電圧Ｖ１が選択され、この電圧Ｖ１に応じた電圧が電源電圧ＶＣＣとしてスイッチング制御部６８に供給される。
【００８９】
この場合では、図７Ｂ，８に示したように、スイッチ７９はオフ状態になる。よって、画像形成装置１では、制御信号ＨＧ−Ｐ，ＡＣ−ＯＮ−Ｎにかかわらず、ヒータ４２への電力供給は停止される。すなわち、電圧Ｖｏｕｔが１５Ｖである場合は、動作モードＭがスリープモードＭ２であるので、ヒータ４２への電力供給は停止される。これにより、画像形成装置１では、安全性を高めることができる。
【００９０】
図９は、選択部８０から出力される電源電圧ＶＣＣの一例を表すものである。なお、この例では、説明の便宜上、ダイオード６６Ａ，６６Ｃ，６９Ａ，８７，８９における順方向電圧降下の影響を省いている。
【００９１】
仮に、経路Ｐ１が常に選択される場合には、電圧Ｖｏｕｔが２４Ｖのときは、電源電圧ＶＣＣは１６．８Ｖ（＝２４×０．７）になり、電圧Ｖｏｕｔが１５Ｖのときは、電源電圧ＶＣＣは１０．５Ｖ（＝１５×０．７）になる。同様に、仮に、経路Ｐ２が常に選択される場合には、電圧Ｖｏｕｔが２４Ｖのときは、電源電圧ＶＣＣは１２Ｖ（＝２４×０．５）になり、電圧Ｖｏｕｔが１５Ｖのときは、電源電圧ＶＣＣは７．５Ｖ（＝１５×０．５）になる。
【００９２】
画像形成装置１では、電圧Ｖｏｕｔが２４Ｖである場合には、図７Ａに示したように経路Ｐ２が選択されるので、図９において一点鎖線で示したように、電源電圧ＶＣＣは１２Ｖになる。また、電圧Ｖｏｕｔが１５Ｖである場合には、図７Ｂに示したように経路Ｐ１が選択されるので、図９において一点鎖線で示したように、電源電圧ＶＣＣは１０．５Ｖになる。
【００９３】
このように、画像形成装置１では、入力端子Ｔ１における電圧Ｖ１に基づいて、入力端子Ｔ１における電圧Ｖ１および入力端子Ｔ２における電圧Ｖ２のうちの一方を選択し、選択した電圧に応じた電圧をスイッチング制御部６８に電源電圧ＶＣＣとして供給するようにした。すなわち、画像形成装置１では、電圧Ｖｏｕｔに応じて、電圧Ｖ１，Ｖ２のうちの一方を選択し、選択した電圧に応じた電圧をスイッチング制御部６８に供給するようにした。これにより、画像形成装置１では、効果的に消費電力を低減することができる。
【００９４】
すなわち、例えば、常に経路Ｐ２が選択される場合には、電圧Ｖｏｕｔが２４Ｖであるとき（画像形成モードＭ１）は、電源電圧ＶＣＣが１２Ｖであるので、スイッチング制御部６８は動作することができる。しかしながら、電圧Ｖｏｕｔが１５Ｖであるとき（スリープモードＭ２）は、電源電圧ＶＣＣが７．５Ｖであるので、スイッチング制御部６８が動作することができる電圧の最小値（この例では１０Ｖ）を下回ってしまう。よって、この場合には、スイッチング制御部６８は動作することができなくなってしまう。
【００９５】
また、例えば、常に経路Ｐ１が選択される場合には、電圧Ｖｏｕｔが１５Ｖであるとき（スリープモードＭ２）は、電源電圧ＶＣＣが１０．５Ｖであるので、スイッチング制御部６８は動作することができる。しかしながら、電圧Ｖｏｕｔが２４Ｖであるとき（画像形成モードＭ１）は、電源電圧ＶＣＣが１６．８Ｖであり、電源電圧ＶＣＣが必要以上に高くなってしまう。よって、この場合には、画像形成装置１において、損失が生じてしまう。
【００９６】
一方、画像形成装置１では、電圧Ｖｏｕｔが２４Ｖであるとき（画像形成モードＭ１）は、経路Ｐ２を選択することにより、電源電圧ＶＣＣを１２Ｖにし、電圧Ｖｏｕｔが１５Ｖであるとき（スリープモードＭ２）は、経路Ｐ１を選択することにより、電源電圧ＶＣＣを１０．５Ｖにした。これにより、画像形成装置１では、電圧Ｖｏｕｔが２４Ｖであるときには損失を抑えることができ、電圧Ｖｏｕｔが１５Ｖであるときには、１０Ｖ以上の電源電圧ＶＣＣを実現することができる。その結果、画像形成装置１では、電源効率を高めることができ、効果的に消費電力を低減することができる。
【００９７】
また、画像形成装置１では、巻線６５Ｃを有するトランス６５を用いるとともに、整流部６６および選択部８０を、電源部６０の一次側に設けるようにした。これにより、一次側に設けられた選択部８０は、入力端子Ｔ１における電圧Ｖ１に基づいて、電圧Ｖｏｕｔを間接的に把握することができる。そして、選択部８０は、この入力端子Ｔ１における電圧Ｖ１に基づいて、入力端子Ｔ１における電圧Ｖ１および入力端子Ｔ２における電圧Ｖ２のうちの一方を選択し、選択した電圧に応じた電圧をスイッチング制御部６８に電源電圧ＶＣＣとして供給することができる。その結果、画像形成装置１では、フォトカプラなどの高価な絶縁部品を省きつつ、電源効率を高めることができる。
【００９８】
［効果］
以上のように本実施の形態では、動作モードに基づいて電圧Ｖｏｕｔを設定するようにしたので、消費電力を効果的に低減することができる。
【００９９】
本実施の形態では、入力端子Ｔ１における電圧Ｖ１に基づいて、入力端子Ｔ１における電圧Ｖ１および入力端子Ｔ２における電圧Ｖ２のうちの一方を選択し、選択した電圧に応じた電圧をスイッチング制御部に電源電圧として供給するようにしたので、電源効率を高めることができ、効果的に消費電力を低減することができる。
【０１００】
本実施の形態では、入力端子Ｔ１における電圧Ｖ１に基づいて、スイッチ７９をオンオフするようにしたので、安全性を高めることができる。
【０１０１】
本実施の形態では、巻線６５Ｃを有するトランスを用いるとともに、整流部６６および選択部８０を、電源部の一次側に設けるようにしたので、フォトカプラなどの高価な絶縁部品を省きつつ、電源効率を高めることができる。
【０１０２】
［変形例１−１］
上記実施の形態では、入力端子Ｔ１における電圧Ｖ１に基づいて、入力端子Ｔ１における電圧Ｖ１および入力端子Ｔ２における電圧Ｖ２のうちの一方を選択するようにしたが、これに限定されるものではない。これに代えて、例えば、入力端子Ｔ２における電圧Ｖ２に基づいて、入力端子Ｔ１における電圧Ｖ１および入力端子Ｔ２における電圧Ｖ２のうちの一方を選択するようにしてもよい。
【０１０３】
［変形例１−２］
上記実施の形態におけるトランス６５における巻線６５Ａ，６５Ｂ，６５Ｃの巻数、電源電圧ＶＣＣの電圧値などは、一例であり、適宜変更してもよい。
【０１０４】
以上、実施の形態および変形例を挙げて本技術を説明したが、本技術はこれらの実施の形態等には限定されず、種々の変形が可能である。
【０１０５】
例えば、上記の実施の形態等では、記録媒体９にカラー画像を形成したが、これに限定されるものではなく、モノクロ画像を形成してもよい。
【０１０６】
例えば、上記の実施の形態等では、本技術を単機能のプリンタに適用したが、これに限定されるものではなく、これに代えて、コピー装置、ファクシミリ装置、多機能周辺装置など、画像を形成する様々な装置に適用してもよい。
【符号の説明】
【０１０７】
１…画像形成装置、８…媒体収納部、１０…搬送路、１１…媒体供給ローラ、１２…媒体センサ、１３…レジストローラ、１４…媒体センサ、１５…レジストローラ、１６…媒体センサ、１７…媒体センサ、１８…スタッカ、２０，２０Ｋ，２０Ｙ，２０Ｍ，２０Ｃ…ＩＤユニット、２１…感光体、２２…クリーニングブレード、２３…排トナーボックス、２４…帯電ローラ、２５…現像ローラ、２６…現像ブレード、２７…供給ローラ、２８，２８Ｋ，２８Ｙ，２８Ｍ，２８Ｃ…トナー収容部、２９，２９Ｋ，２９Ｙ，２９Ｍ，２９Ｃ…ＬＥＤヘッド、３０…転写部、３１…転写ベルト、３２，３２Ｋ，３２Ｙ，３２Ｍ，３２Ｃ…転写ローラ、３３…駆動ローラ、３４…従動ローラ、４０…定着部、４１…ヒートローラ、４２…ヒータ、４３…加圧ローラ、４４…ヒータ制御部、５１…通信部、５２…操作パネル、５３…読み書き制御部、５４…露光制御部、５５…電圧制御部、５６…モータ制御部、５７…定着制御部、５９…制御部、６０…電源部、６１…電源フィルタ、６２…ダイオードブリッジ、６３…コンデンサ、６４…スイッチングトランジスタ、６５…トランス、６５Ａ，６５Ｂ，６５Ｃ…巻線、６６…整流部、６６Ａ，６６Ｃ…ダイオード、６６Ｂ，６６Ｄ…コンデンサ、６７Ａ…ツェナーダイオード、６７Ｂ…コンデンサ、６８…スイッチング制御部、６９…整流部、６９Ａ…ダイオード、６９Ｂ…コンデンサ、７１…フィードバック回路、７２…フォトカプラ、７８…フォトトライアックカプラ、７９…スイッチ、８１，８２，８４…抵抗素子、８３，８５，８６，８８…トランジスタ、８７，８９…ダイオード、ＡＣ−ＯＮ−Ｎ，ＨＧ−Ｐ，Ｓｆｂ，Ｓｆｂ０，ＳＬＥＥＰ−Ｎ，Ｓ１，Ｓ２…制御信号、Ｃ１〜Ｃ３…接続点、ＭＴ１，ＭＴ２…メモリタグ、Ｎｐ，Ｎｓ，Ｎｂ１，Ｎｂ２…巻数、Ｐ１，Ｐ２…経路、Ｔｏｕｔ…出力端子、Ｔ１，Ｔ２…入力端子、Ｔ３…出力端子、ＶＣＣ…電源電圧、Ｖｄｃ，Ｖｏｕｔ，Ｖ１，Ｖ２…電圧、Ｖｔｈ…しきい値電圧、Ｖ０…基準電圧。
【図１】
2019009882.tif 000003
【図２】
2019009882.tif 000004
【図３】
2019009882.tif 000005
【図４】
2019009882.tif 000006
【図５】
2019009882.tif 000007
【図６】
2019009882.tif 000008
【図７Ａ】
2019009882.tif 000009
【図７Ｂ】
2019009882.tif 000010
【図８】
2019009882.tif 000011
【図９】
2019009882.tif 000012